(57)【要約】【課題】形状が異なる複数の主眼鏡に取り付けることが可能な前掛眼鏡を提供する。【解決手段】前掛眼鏡１は、テンプル１０７を有する主眼鏡１０１のレンズ１０２を覆うカバーレンズ２と、カバーレンズ２の間に設けられたブリッジ部３と、ブリッジ部３の両端のそれぞれに結合されてカバーレンズ２の周縁の内の少なくともブリッジ部３側の周縁に接するリム部４と、リム部４の両端に止着されリム部４と共に環状空間を形成する線材５と、リム部４に設けられ主眼鏡１０１に係合する係合部６とを備えている。カバーレンズ２は、周縁端面に周縁方向に沿って溝を有し、該溝にリム部４と線材５とが嵌合することによって環状空間に嵌め込まれる。ブリッジ部３及びリム部４は、可撓性部材から形成されている。【選択図】図１
2011227376.tif 000002
【特許請求の範囲】
【請求項１】
テンプルを具備する主眼鏡の前面に重ね合わせて着脱自在に取り付けられ、該主眼鏡の２つのそれぞれのレンズを覆う２つのカバーレンズを備え、テンプルを具備しない前掛眼鏡であって、
前記２つのカバーレンズの間に設けられたブリッジ部と、
該ブリッジ部の両端のそれぞれに結合されて前記カバーレンズの周縁の内の少なくともブリッジ側の周縁に接するリム部と、
該リム部の両端に止着され該リム部と共に環状空間を形成する線材と、
該リム部に設けられ前記主眼鏡に係合する係合部とを備え、
前記カバーレンズは周縁端面に周縁方向に沿って溝を有し、該溝に前記リム部と線材とが嵌合することによって前記環状空間に嵌め込まれ、
前記ブリッジ部及びリム部は、可撓性部材から形成されていることを特徴とする前掛眼鏡。
【請求項２】
前記リム部は、前記溝に嵌合する複数の凸部を該リム部の長手方向に間隔を開けて有することを特徴とする請求項１に記載の前掛眼鏡。
【発明の詳細な説明】
【技術分野】
【０００１】
本発明は、形状が異なる複数の眼鏡に取り付けることが可能な前掛眼鏡に関する。
【背景技術】
【０００２】
従来より、通常使用する眼鏡（テンプルを具備する眼鏡。以下、主眼鏡という）の前面に重ね合わせて着脱自在に取り付けられテンプルを具備しない前掛眼鏡が種々提案されており（例えば、特許文献１乃至５参照）、一部実用化されている。
一方、昨今では、主眼鏡はファッションの一部としてアクセサリ的な地位を確立しているため、一人の使用者が形状の異なる複数の主眼鏡を所有し、その日の気分に応じて主眼鏡を取り替えることも多い。
しかしながら、実用化されている従来の前掛眼鏡は、そのフレームが金属製或いは硬質の樹脂製であり可撓性を有しないので、レンズの位置を変えられない。このため、主眼鏡のレンズの前面に、前掛眼鏡のレンズ（以下、前掛眼鏡のレンズをカバーレンズという）が適切に重なるように、形状の異なる主眼鏡毎に（或いは形状が近似していない主眼鏡毎に）、複数の前掛眼鏡を用意しなければならないという問題があった。
【先行技術文献】
【特許文献】
【０００３】
【特許文献１】特開２００６−１７１２３４号公報
【特許文献２】特開２００６−２５１６２９号公報
【特許文献３】特開２００７−８６２６０号公報
【特許文献４】特開２００７−１５６３５４号公報
【特許文献５】特開２００８−３１５５号公報
【発明の概要】
【発明が解決しようとする課題】
【０００４】
本発明は、斯かる従来技術の問題を解決するためになされたものであり、形状が異なる複数の主眼鏡に取り付けることが可能な前掛眼鏡を提供することを課題とする。
【課題を解決するための手段】
【０００５】
前記課題を解決するため、本発明は、テンプルを具備する主眼鏡の前面に重ね合わせて着脱自在に取り付けられ、該主眼鏡の２つのそれぞれのレンズを覆う２つのカバーレンズを備え、テンプルを具備しない前掛眼鏡であって、前記２つのカバーレンズの間に設けられたブリッジ部と、該ブリッジ部の両端のそれぞれに結合されて前記カバーレンズの周縁の内の少なくともブリッジ側の周縁に接するリム部と、該リム部の両端に止着され該リム部と共に環状空間を形成する線材と、該リム部に設けられ前記主眼鏡に係合する係合部とを備え、前記カバーレンズは周縁端面に周縁方向に沿って溝を有し、該溝に前記リム部と線材とが嵌合することによって前記環状空間に嵌め込まれ、前記ブリッジ部及びリム部は、可撓性部材から形成されていることを特徴とする前掛眼鏡を提供する。
【０００６】
本発明によれば、ブリッジ部が可撓性部材から形成されているため、取り付けるべき主眼鏡の形状に合わせてブリッジ部を撓ませることにより、主眼鏡に対するカバーレンズの取り付け角度（カバーレンズの法線方向周りの角度）や両カバーレンズ間距離を高い自由度で調整することが可能である。
また、カバーレンズがリム部と線材とによって形成される環状空間に嵌め込まれる構成であり、リム部が可撓性部材から形成されているので、リム部及び線材によって形成される環状空間内でカバーレンズを回動させることにより、リム部に対するカバーレンズの取り付け角度（カバーレンズの法線方向周りの角度）をどのような角度にも調整することができる。また、調整後のカバーレンズ周縁にリム部がフィットするので、カバーレンズが抜け落ちる虞も少ない。
このように、ブリッジ部を撓ませることと、リム部及び線材によって形成される環状空間内でカバーレンズを回動させることとにより、取り付けるべき主眼鏡の形状に合わせて、主眼鏡に対するカバーレンズの取り付け角度と両カバーレンズ間距離とを高い自由度で調整することが可能である。
従って、本発明に係る単一の前掛眼鏡を、異なる形状の複数の主眼鏡に取り付けることが可能である。
【０００７】
好ましくは、前記リム部は、前記溝に嵌合する複数の凸部を該リム部の長手方向に間隔を開けて有する。
【０００８】
斯かる好ましい構成によれば、リム部は、カバーレンズの溝に嵌合する複数の凸部を該リム部の長手方向に間隔を開けて有するので、リム部の可撓性が高まり、リム部がカバーレンズ周縁にフィットし易くなる。
また、複数の凸部がリム部の長手方向に間隔を開けてカバーレンズの溝に嵌合しているので、凸部がカバーレンズの溝にリム部の長手方向に連続して嵌合するよりも、リム部とカバーレンズとの間の摩擦力が強くなり、リム部及び線材によって形成される環状空間内でカバーレンズが回動し難くなる。これにより、リム部に対するカバーレンズの取り付け角度を調整した後は、前掛眼鏡の使用中にリム部に対するカバーレンズの取り付け角度が変動しないので、使用中に角度を調整し直す必要がない。
【発明の効果】
【０００９】
本発明によれば、単一の前掛眼鏡を、異なる形状の複数の主眼鏡に取り付けることが可能である。
【図面の簡単な説明】
【００１０】
【図１】図１（ａ）は、本実施形態に係る前掛眼鏡と前掛眼鏡が取り付けられる主眼鏡との斜視図であり、図１（ｂ）は、主眼鏡に前掛眼鏡が取り付けられたときの斜視図である。
【図２】図２は、同前掛眼鏡の構成図である。
【図３】図３は、同前掛眼鏡におけるリム部の構成図である。
【図４】図４（ａ）は、同前掛眼鏡の正面図であり、図４（ｂ）は、ブリッジ部を撓めることによってカバーレンズの取り付け角度を変化させた同前掛眼鏡の正面図である。
【図５】図５（ａ）は、同前掛眼鏡の正面図であり、図５（ｂ）は、リム部及び線材によって形成される環状空間内でカバーレンズを回動させることによってカバーレンズの取り付け角度を変化させた同前掛眼鏡の正面図である。
【図６】図６は、実施形態の変形例に係る前掛眼鏡におけるリム部の構成図である。
【発明を実施するための形態】
【００１１】
本発明の実施形態について、添付図面を適宜参照しつつ説明する。図１及び図２は、本実施形態に係る前掛眼鏡と、前掛眼鏡が取り付けられる主眼鏡との構成を示し、図３は、前掛眼鏡が有するリム部の構成を示す。
前掛眼鏡１は、テンプル１０７を有する主眼鏡１０１のレンズ１０２を覆うカバーレンズ２と、カバーレンズ２の間に設けられたブリッジ部３と、ブリッジ部３の両端のそれぞれに結合されてカバーレンズ２の周縁の内の少なくともブリッジ部３側の周縁に接するリム部４と、リム部４の両端に止着されリム部４と共に環状空間を形成する線材５と、リム部４に設けられ主眼鏡１０１に係合する係合部６とを備えている。
【００１２】
カバーレンズ２は、周縁端面２１に周縁方向に沿って溝２２を有している。溝の大きさは、例えば幅１ｍｍで深さ０．５ｍｍである。
リム部４は、可撓性部材から形成されており、カバーレンズ２の形状に合わせて撓むことができる。リム部４を形成する可撓性部材としては、例えばゴムが用いられる。リム部４のカバーレンズ２側の面には、溝２２に嵌合する凸部４１がリム部４の長手方向に沿って途切れずに連続した形状で設けられている。
線材５は、屈曲自在であり、例えば樹脂から形成されている。
線材５のリム部４両端への止着は、例えば、リム部４の両端に線材５を貫通させる貫通穴を設けてその貫通穴に線材５を貫通させ、貫通した線材５の先端を貫通穴よりも大きな形状に形成して抜け留めにすることにして行ってもよい。
凸部４１と線材５とが、溝２２に嵌合することによって、カバーレンズ２はリム部４と線材５とによって形成される環状空間に嵌め込まれる。
ブリッジ部３は、可撓性部材から形成されており、屈曲自在である。ブリッジ部３を形成する可撓性部材としては、例えばゴムが用いられる。また、ブリッジ部３は、Ｕ字型に湾曲した形状に形成されている。
ブリッジ部３は、湾曲した形状が閉じられるように屈曲された状態で主眼鏡１０１に取り付けられる。
溝２２は、周縁端面２１の全周に亘って形成されていてもよいが、カバーレンズ２が環状空間に嵌め込まれるのであれば、周縁端面２１の全周の内の一部だけに形成されていてもよい。
【００１３】
係合部６は、それぞれのリム部４の上下の両端付近に２個設けられており、主眼鏡１０１のリム部１０４の周縁を、主眼鏡１０１のブリッジ部１０３側からレンズ１０２側に向けて押圧する位置に設けられている。
係合部６は、前掛眼鏡１の後方に延出して設けられ、カバーレンズ２の中心側に屈曲しており、主眼鏡１０１のリム部１０４に周囲から係合する。主眼鏡１０１が、リム部を有さない所謂リムレス眼鏡の場合には、係合部６は、主眼鏡１０１のレンズ１０２に周囲から係合する。
係合部６は、可撓性部材から形成されており、屈曲自在である。係合部６を形成する可撓性部材としては、例えばゴムが用いられる。
ブリッジ部３、リム部４、及び係合部６は、一体として形成されていてもよいし、それぞれが個別に形成されてから、例えば接着によって一体とされてもよい。
【００１４】
前掛眼鏡１を主眼鏡１０１に装着するときは、両カバーレンズ２の間の距離が縮まるようにブリッジ部３を曲げ、係合部６を主眼鏡１０１の両レンズ１０２の間に入れてブリッジ部３の曲げを解放する。ブリッジ部３が有する弾性によって係合部６が、主眼鏡１０１のリム部１０４を主眼鏡１０１のブリッジ部側からレンズ１０２側に向けて押圧し、係合部６が主眼鏡１０１のリム部１０４に周囲から係合する。このように、前掛眼鏡１を主眼鏡１０１の前面に重ね合わせて着脱自在に取り付けることができる。
また、ブリッジ部３が可撓性を有しているので、主眼鏡１０１のレンズ１０２のレンズ間距離に合わせてブリッジ部３を撓ませ、両カバーレンズ２間距離を調整することができる。
【００１５】
両レンズ１０２間距離が広い主眼鏡１０１にでも、ブリッジ部３が有する弾性によって係合部６が主眼鏡１０１のブリッジ部１０３側からレンズ１０２側に向けてリム部１０４を押圧するように、ブリッジ部３がそれぞれのリム部４と結合する箇所の間の間隔を広くすることが望ましい。しかしながら、主眼鏡１０１の両レンズ１０２間距離が広すぎて、ブリッジ部３が有する弾性によって係合部６が主眼鏡１０１のリム部４を押圧できなくても、係合部６の有する弾性によって主眼鏡１０１のリム部１０４に係合することができる。
【００１６】
次に、主眼鏡１０１に対するカバーレンズ２の取り付け角度（カバーレンズの法線方向周りの角度）を調整する方法について説明する。
図４（ａ）（ｂ）は、カバーレンズ２の取り付け角度を変化させた前掛眼鏡１の正面視を示す。ここで、点Ｏをカバーレンズの法線が貫通する位置とし、線Ｌを取り付け角度の基準線とする。
ブリッジ部３が可撓性を有するので、ブリッジ部３を撓ませてリム部４の位置をカバーレンズの法線方向周りに回すことによりカバーレンズ２の取り付け角度を変化させることができる。
図４（ａ）におけるカバーレンズ２の主眼鏡１０１に対する取り付け角度を０°とすると、図４（ｂ）におけるカバーレンズ２の主眼鏡１０１に対する取り付け角度はα°傾いている。
このように、ブリッジ部３が可撓性を有しているので、主眼鏡１０１の形状に合わせてブリッジ部３を撓ませることにより、主眼鏡１０１に対するカバーレンズ２の取り付け角度を調整することができる。
【００１７】
次に、リム部４に対するカバーレンズ２の取り付け角度（カバーレンズの法線方向周りの角度）を調整する方法について説明する。
図５（ａ）（ｂ）は、カバーレンズ２の取り付け角度を変化させた前掛眼鏡１の正面視を示す。図４と同様に、点Ｏをカバーレンズの法線が貫通する位置とし、線Ｌを取り付け角度の基準線とする。
カバーレンズ２がリム部４と線材５とによって形成される環状空間に嵌め込まれる構成であり、リム部４が可撓性部材から形成されており、リム部４及び線材５によって形成される環状空間内でカバーレンズ２を回動させようとするとリム部４がカバーレンズ２の形状に合わせて撓むので、カバーレンズ２を回動させることができる。従って、リム部４に対するカバーレンズ２の取り付け角度を変化させることができる。
図５（ａ）におけるカバーレンズ２のリム部４に対する取り付け角度を０°とすると、図５（ｂ）におけるカバーレンズ２のリム部４に対する取り付け角度はβ°傾いている。
このように、リム部４が可撓性を有しているので、リム部４及び線材５によって形成される環状空間内でカバーレンズ２を回動させることにより、リム部４に対するカバーレンズの取り付け角度を調整することができる。
【００１８】
このように、ブリッジ部３を撓ませることと、リム部４及び線材５によって形成される環状空間内でカバーレンズ２を回動させることとにより、取り付けるべき主眼鏡１０１の形状に合わせて、主眼鏡１０１に対するカバーレンズ２の取り付け角度と両カバーレンズ２間距離とを高い自由度で調整することが可能である。
従って、本発明に係る単一の前掛眼鏡１を、異なる形状の複数の主眼鏡１０１に取り付けることが可能である。
【００１９】
ブリッジ部３の形状は、Ｕ字型に限られず、Ｖ字型やＷ字型や直線の形状でもよい。
また、係合部６をそれぞれのカバーレンズ２について２個設けているが、３個以上でも構わない。また、係合部６が主眼鏡１０１に係合する形状であれば、係合部６は１個でもよい。
【００２０】
（変形例）
次に、本実施形態に係る前掛眼鏡の変形例について、図６を参照して説明する。
上述した実施形態では、凸部４１は、リム部４の長手方向に沿って凸形状が途切れずに連続した形状で設けられているが、本変形例において、リム部４は、溝２２に嵌合する複数の凸部４１をリム部４の長手方向に間隔を開けて有している。すなわち、上述した実施形態での凸部４１が、リム部４の長手方向に沿って凸形状が所々で途切れた形状になっている。
このように、複数の凸部４１がリム部４の長手方向に間隔を開けて形成されているので、凸部４１の間隔が開けたところでリム部４の可撓性が高まり、リム部４がカバーレンズ２の周縁にフィットし易くなる。
また、複数の凸部４１がリム部４の長手方向に間隔を開けてカバーレンズ２の溝２２に嵌合しているので、凸部４１がカバーレンズ２の溝２２にリム部４の長手方向に連続して嵌合するよりも、リム部４とカバーレンズ２との間の摩擦力が強くなり、リム部４及び線材５によって形成される環状空間内でカバーレンズ２が回動し難くなる。これにより、リム部４に対するカバーレンズ２の取り付け角度を調整した後は、前掛眼鏡１の使用中にリム部４に対するカバーレンズ２の取り付け角度が変動しないので、使用中に取り付け角度を調整し直す必要がない。
【符号の説明】
【００２１】
１・・・前掛眼鏡
２・・・カバーレンズ
２２・・・溝
３・・・ブリッジ部
４・・・リム部
４１・・・凸部
５・・・線材
６・・・係合部
１０１・・・主眼鏡
１０２・・・レンズ
１０７・・・テンプル
【図１】
2011227376.tif 000003
【図２】
2011227376.tif 000004
【図３】
2011227376.tif 000005
【図４】
2011227376.tif 000006
【図５】
2011227376.tif 000007
【図６】
2011227376.tif 000008